(57)【要約】【課題】建設作業に要する専門の知識及び経験、熟練等の無い人でも、現場での建設作業が簡単且つ容易に行え、建設期間の短縮、建設コストの低減を図ることができるリブフレーム構造体の建設方法及びそのリブフレーム構造体を提供する。【解決手段】複数の各リブフレーム構造体１…を、例えば前後又は左右、上下等の隣り合う状態に配置して、各リブフレーム構造体１…を構成する各リブフレーム２…を互いに近接又は当接し、各リブフレーム構造体１…の四隅部に取り付けた各コーナーアングル４…を一体的に連結固定して、所望する単一階層構造及び多数階層構造の建物を建設する。また、略直交配置又はスライディング配置した各リブフレーム構造体１…を一体的に連結固定して建設することもできる。【選択図】  図８
2006118338.tif 000002
【特許請求の範囲】
【請求項１】
略同一の大きさ及び形状に形成した正面から見て略方形のリブフレームを前後方向に対して所定間隔に隔てて複数配列し、
上記各リブフレームの略直角を成す角隅部に装着されるコーナーアングルを、該各リブフレームの四隅に位置する各角隅部が前後方向に向けて覆われるように固定して略筒状のリブフレーム構造体を構成し、
上記リブフレーム構造体を隣り合う状態に複数配置して、該各リブフレーム構造体を構成する各リブフレームを互いに近接又は当接すると共に、
上記各リブフレーム構造体の四隅部に取り付けた各コーナーアングルを連結部材で一体的に連結固定して所望する階層の建物を建設する
リブフレーム構造体の建設方法。
【請求項２】
上記リブフレーム構造体を前後又は左右、上下に複数配置して、該各リブフレーム構造体を構成する各リブフレームを互いに近接又は当接すると共に、
上記各リブフレーム構造体の四隅部に取り付けられ、該各リブフレーム構造体の前後端よりも外側に突出する状態又は前後端よりも内側に納まる状態に取り付けられた各コーナーアングルの対向端部を連結部材で一体的に連結固定する
請求項１に記載のリブフレーム構造体の建設方法。
【請求項３】
略同一の大きさ及び形状に形成した正面から見て略方形のリブフレームを前後方向に対して所定間隔に隔てて複数配列すると共に、
上記各リブフレームの略直角を成す角隅部に装着されるコーナーアングルを、該各リブフレームの四隅に位置する各角隅部が前後方向に向けて覆われるように固定して略筒状に構成した
リブフレーム構造体。
【請求項４】
上記リブフレームを、正面から見て略方形に形成した単一の板材で構成するか、複数の板材を一体的に重ね合わせて構成した
請求項１又は２に記載のリブフレーム構造体の建設方法及び請求項３に記載のリブフレーム構造体。
【請求項５】
上記コーナーアングルを、上記リブフレーム構造体の前後端よりも外側に突出する長さ又は前後端よりも内側に納まる長さに形成した
請求項１又は２に記載のリブフレーム構造体の建設方法及び請求項３又は４に記載のリブフレーム構造体。
【請求項６】
上記リブフレームを集成材で構成した
請求項１又は２に記載のリブフレーム構造体の建設方法及び請求項３，４，５のいずれか一つに記載のリブフレーム構造体。
【発明の詳細な説明】
【技術分野】
【０００１】
この発明は、例えば一般住宅やマンション、仮設住宅、介護施設、倉庫、ドーム型構造物、柱型又は壁型構造物等の単一階層構造及び多数階層構造の建物を短期間で建設するときに用いられるリブフレーム構造体の建設方法及びそのリブフレーム構造体に関する。
【背景技術】
【０００２】
従来、上述の建物を建設するときに用いられる構造体としては、例えばコンクリート製筒体を囲繞する結合用枠体の柱部分を梁部分より幅広に形成し、一方の結合用枠体を、他方の結合用枠体に対して略１８０度回転して配置すると共に、一対の結合用枠体の柱部分側端面又は梁部分上端面で互いに係合連結して側方又は上方に継ぎ合わせる特許文献１の建築用空間構造体がある。
【０００３】
しかし、上述の建築用空間構造体は、例えば上下又は左右等の隣り合う状態に配置した一方の構造体を、他方の構造体に対して略１８０度回転して相互の対向端面を係合連結するが、各構造体の向きを略１８０度回転させなければならず、作業に手間が掛かる。且つ、コンクリート製筒体が硬化するのに時間及び日数が掛かるため、構造体を製造するのに、施工期間が長くなる。且つ、コンクリートを使用するため構造体全体の総重量が重く、建設場所に移動及び運搬したり、略１８０度回転したり、上下に積み重ねたりする作業に労力及びエネルギーが必要であり、所望する階層構造に建設する作業に手間及び時間が掛かるという問題点を有している。
【０００４】
【特許文献１】特公昭５４−８０１１号公報。
【発明の開示】
【発明が解決しようとする課題】
【０００５】
この発明は上記問題に鑑み、隣り合う状態に配置した各リブフレーム構造体を互いに近接又は当接して、該各リブフレーム構造体の四隅部に取り付けた各コーナーアングルを一体的に連結固定することにより、建設作業に要する専門の知識及び経験、熟練等の無い人でも、現場での建設作業が簡単且つ容易に行え、建設期間の短縮、労力及びエネルギーの削減、移動及び運搬が容易、建設コストの低減を図ることができるリブフレーム構造体の建設方法及びそのリブフレーム構造体の提供を目的とする。
【課題を解決するための手段】
【０００６】
請求項１に記載した発明のリブフレーム構造体の建設方法は、略同一の大きさ及び形状に形成した正面から見て略方形のリブフレームを前後方向に対して所定間隔に隔てて複数配列し、上記各リブフレームの略直角を成す角隅部に装着されるコーナーアングルを、該各リブフレームの四隅に位置する各角隅部が前後方向に向けて覆われるように固定して略筒状のリブフレーム構造体を構成し、上記リブフレーム構造体を隣り合う状態に複数配置して、該各リブフレーム構造体を構成する各リブフレームを互いに近接又は当接すると共に、上記各リブフレーム構造体の四隅部に取り付けた各コーナーアングルを連結部材で一体的に連結固定して所望する階層の建物を建設することを特徴とする。
【０００７】
上述のリブフレームは、例えば構造的強度及び耐火性、断熱性、保湿性、防音性、調湿性等に優れた集成材、強化ＬＶＬ合板等の単一又は複合した木製の板材により構成され、正面から見て略正方形や略矩形、略五角形、略六角形等の略方形に形成している。また、例えば正面から見て略方形に形成した板厚の厚い単一の板材で構成するか、各辺部と略対応する長さに形成した板厚の厚い板材を複数連結して構成することができる。また、略方形に形成した板厚の薄い板材を複数重ね合わせるか、上下及び左右の各辺部と略対応する長さに形成した板厚の薄い板材を複数重ね合わせる等して構成することもできる。
【０００８】
また、コーナーアングルは、例えばＰＬ加工防錆処理や亜鉛メッキ処理等が施されたスチール製又はその他の金属製の鋼材、リブフレームと同一の木製の板材で構成され、コーナーアングル全長を略Ｌ字状断面に形成するか、略フラットな断面形状に形成した平型コーナーアングルの両端部を略Ｌ字状断面に形成している。且つ、前後に配列した各リブフレームの四隅に位置する角隅部の略直角を成す２辺又は１辺が前後方向に向けて覆われるような大きさ及び形状に形成している。
【０００９】
また、連結部材は、例えば固体音伝搬防止及び連結制震を目的とする粘弾性ダンパー、メッキ処理したボルト及びナット、連結金具、固体音伝搬防止を目的とする防振ゴム、或いは、金属やセラミックス、プラスチック等の単一又は複合した材質で構成される連結部材とで構成される。
【００１０】
つまり、複数のリブフレーム構造体を、例えば前後又は左右、上下等の隣り合う状態に略並列配置して、各リブフレーム構造体を構成する各リブフレームを互いに近接又は当接すると共に、各リブフレーム構造体の四隅部に取り付けた各コーナーアングルを連結部材で一体的に連結固定して、所望する単一階層構造及び多数階層構造の建物を建設する。また、略直交配置又はスライディング配置した各リブフレーム構造体の各コーナーアングルを連結部材で一体的に連結固定して建設することもできる。
【００１１】
施工例として、前後又は左右に配置した各リブフレーム構造体の各コーナーアングルは、上記粘弾性ダンパーを介して一体的に連結固定し、上下に配置した各リブフレーム構造体の各コーナーアングルは、上記防振ゴムを介して一体的に連結固定することができる。また、各リブフレーム構造体間の接続部には、例えば床用及び壁用、天井用のパネルやボード等を固定するが、所望する大きさ及び形状に開口しておくこともできる。なお、上記粘弾性ダンパーを用いることなく、前後や左右、上下に配設した各リブフレーム構造体の各コーナーアングルを直接的に連結固定するか、防振ゴムを介して、ボルト及びナットで連結固定することもできる。
【００１２】
また、最下階層のリブフレーム構造体を基礎に固定する場合、リブフレーム構造体の各コーナーアングルを、例えば防振ゴム及び木製の土台を介して、コンクリート製の基礎に埋設されたアンカーボルトで固定する。
【００１３】
また、屋根構造体を、最上階層のリブフレーム構造体に固定する場合、リブフレーム構造体の上側角隅部に取り付けられた各コーナーアングルに、例えばボルト及びナット等の連結部材で固定する。
【００１４】
また、例えば窓部や扉部、大きな出入口等の開口部をリブフレーム構造体の側壁部に設ける場合、その開口部の幅は、リブフレーム構造体の間に形成される空間部の幅の略倍数とし、水平方向の補強材はリブフレームと同材を用いる。
【００１５】
また、例えば前後又は左右、上下等に配置した各リブフレーム構造体間に形成される空間部は、例えば電線やケーブル、コード等を配線するか、ガス管や水道管、ダクト等を配管するためのスペースとして利用する。
【００１６】
請求項２に記載した発明のリブフレーム構造体の建設方法は、上記請求項１に記載の構成と併せて、上記リブフレーム構造体を前後又は左右、上下に複数配置して、該各リブフレーム構造体を構成する各リブフレームを互いに近接又は当接すると共に、上記各リブフレーム構造体の四隅部に取り付けられ、該各リブフレーム構造体の前後端よりも外側に突出する状態又は前後端よりも内側に納まる状態に取り付けられた各コーナーアングルの対向端部を連結部材で一体的に連結固定することを特徴とする。
【００１７】
請求項３に記載した発明のリブフレーム構造体は、略同一の大きさ及び形状に形成した正面から見て略方形のリブフレームを前後方向に対して所定間隔に隔てて複数配列すると共に、上記各リブフレームの略直角を成す角隅部に装着されるコーナーアングルを、該各リブフレームの四隅に位置する各角隅部が前後方向に向けて覆われるように固定して略筒状に構成したことを特徴とする。
【００１８】
請求項４に記載した発明のリブフレーム構造体の建設方法及びリブフレーム構造体は、上記請求項１又は２に記載の構成及び請求項３に記載の構成と併せて、上記リブフレームを、正面から見て略方形に形成した単一の板材で構成するか、複数の板材を一体的に重ね合わせて構成したことを特徴とする。
【００１９】
請求項５に記載した発明のリブフレーム構造体の建設方法及びリブフレーム構造体は、上記請求項１又は２に記載の構成及び請求項３又は４に記載の構成と併せて、上記コーナーアングルを、上記リブフレーム構造体の前後端よりも外側に突出する長さ又は前後端よりも内側に納まる長さに形成したことを特徴とする。
【００２０】
請求項６に記載した発明のリブフレーム構造体の建設方法及びリブフレーム構造体は、上記請求項１又は２に記載の構成及び請求項３，４，５のいずれか一つに記載の構成と併せて、上記リブフレームを集成材で構成したことを特徴とする。
【発明の効果】
【００２１】
この発明によれば、隣り合う状態に配置した各リブフレーム構造体を互いに近接又は当接して、各リブフレーム構造体の四隅部に取り付けた各コーナーアングルを一体的に連結固定するので、知識、熟練及び経験の無い人でも、簡単且つ容易に建築することができる。また、予め組み立てられたリブフレーム構造体を設置するか、複数のリブフレーム構造体を組み合わせる等して建設するので、例えば敷地面積が狭い土地や住宅密集地等に建設するのに最適であり、増改築及び現場での建設作業が簡単且つ容易に行える。且つ、建設期間が大幅に短縮され、建設時の労力及びエネルギーが削減されるだけでなく、所望する単一階層構造及び多数階層構造の建物を短期間で建設して、建設コストの低減を図ることができる。
【００２２】
また、複数のリブフレームで構成されるリブフレーム構造体を、一つのユニット又はブロックに予め組み立てておくので、例えばトラックや貨車等の運搬車両に積載して建設現場に運搬することができ、集成材で構成されたフレームを用いるため、金属製やコンクリート製の構造体よりも軽量であり、少ない労力で建設することができる。且つ、リブフレーム構造体の解体作業が簡単且つ容易に行えるだけでなく、リブフレーム構造体の略全体を木製の板材で構成しているため、再利用が可能である。
【発明を実施するための最良の形態】
【００２３】
この発明は、建設作業に要する専門の知識及び経験、熟練等の無い人でも、現場での建設作業が簡単且つ容易に行え、建設期間の短縮、建設コストの低減を図ることができるという目的を、隣り合う状態に配置した各リブフレーム構造体を互いに近接又は当接して、該各リブフレーム構造体の四隅部に取り付けた各コーナーアングルを一体的に連結固定することで実現した。
【実施例】
【００２４】
この発明の一実施例を以下図面に基づいて詳述する。  
図面は、単一階層構造及び多数階層構造の建物を建設するときに用いられるリブフレーム構造体の建設方法及びそのリブフレーム構造体を示し、正面から見て略筒状に組み立てられた複数の各リブフレーム構造体１…を、例えば前後又は左右、上下等の隣り合う状態に略並列配置し、各リブフレーム構造体１…を構成する各リブフレーム２…を互いに近接又は当接し、正面から見て各リブフレーム構造体１…の四隅部に取り付けた各コーナーアングル４…を一体的に連結固定して、図１１〜図１４に示す所望する単一階層構造及び多数階層構造の建物を建設する。また、略直交配置又はスライディング配置した各リブフレーム構造体１…を一体的に連結固定して建設することもできる。
【００２５】
上述のリブフレーム構造体１は、図１、図２、図３に示すように、略同一の大きさ及び形状に形成した正面から見て略正方形の各リブフレーム２…を前後方向に対して所定間隔に隔てて複数配列し、前後及び中間に配列した各リブフレーム２…の前後対向面間を座屈防止用の連結フレーム３…で前後方向に連結固定し、各リブフレーム２…の略直角を成す角隅部の２辺が覆われる大きさ及び形状に形成した各コーナーアングル４…を、前後及び中間に配列した各リブフレーム２…の正面から見て四隅に位置する各角隅部が前後方向に向けて覆われるように取り付ける。また、リブフレーム２の角隅部が破損及び損傷しないように保護している。
【００２６】
且つ、各リブフレーム２…の四隅に位置する各角隅部を、各コーナーアングル４…の略直角を成す内側角隅面に押し当てて、各リブフレーム２…の各角隅部と、各コーナーアングル４…の内側角隅面に固定した各ブラケット８…とを、ボルト１３…及びナット１４…で一体的に連結固定して略筒状に構成している。また、ブラケット８を、リブフレーム２の角隅部に形成した隙間に差し込んで固定することもできる。
【００２７】
また、リブフレーム構造体１の内面側が覆い隠される内壁ボード５…を、例えば床部及び壁部、天井部等と対応するリブフレーム構造体１の上下内面及び左右内面に固定している。但し、リブフレーム構造体１の外面側が覆い隠される外壁ボード（図示省略）を、リブフレーム構造体１の上下外面及び左右外面に固定する場合、上下間の接合位置が最外端リブフレーム２よりも内側に納まるように固定する。なお、内壁及び外壁のボードは、例えば耐火性や断熱性を有する材質で構成している。
【００２８】
且つ、例えばグラスウールや天然ウール、発砲プラスチック、古紙等の断熱性及び遮音性に優れた充填材（図示省略）を、前後に配列した各リブフレーム２…間の空間部に所定量充填してもよい。
【００２９】
前述のリブフレーム２は、例えば構造的強度及び耐火性、断熱性、保湿性、防音性、調湿性等に優れた集成材、強化ＬＶＬ合板（単板積層材）等の単一又は複合した板材で構成され、正面から見て略正方形に形成している。また、正面から見て略正方形に形成した板厚の厚い単一の板材（合板）で構成するか、上下及び左右の各辺部と略対応する長さに形成した板厚の厚い板材を複数連結して構成している。
【００３０】
また、略正方形に形成した板厚の薄い板材を複数重ね合わせるか、上下及び左右の各辺部と略対応する長さに形成した板厚の薄い板材を複数重ね合わせる等して構成することもできる。
【００３１】
また、例えば中間板材を２枚の各板材間に重ね合わせるか、２枚の各板材間を所定間隔に隔てて固定するか、板材自体を中空に形成する等して構成することもできる。なお、リブフレーム２を、例えば略矩形や略五角形、略六角形等の角隅部を有するような所望する形状に形成してもよい。
【００３２】
また、例えば強化ＬＶＬ合板（単板積層材）、金属板、プラスチック板等の単一又は複合した材質で構成される側面から見て略Ｌ字状の角隅板９を、リブフレーム２の角隅部前後面に対して重ね合わせたまま固定部材（図示省略）で固定している。なお、固定部材は、例えばクギやネジ、ボルト、ピン、リベット、接着剤等の何れか一つの部材又は複数の部材で構成される。
【００３３】
前述のコーナーアングル４は、例えばＰＬ加工防錆処理や亜鉛メッキ処理等が施されたスチール製の鋼材により略Ｌ字状断面に全長が構成され、前後に配列した各リブフレーム２…の正面から見て四隅に位置する各角隅部の略直角を成す２辺が前後方向に向けて覆われるような大きさ及び形状に形成し、リブフレーム構造体１の前後端に配列した前後リブフレーム２，２よりも前後方向に向けて所定寸法だけ突出する長さに形成している。また、前後リブフレーム２，２よりも外側に突出するコーナーアングル４の突出側両端部の略直角を成す各辺部に、ボルト１５の挿通が許容される孔部４ａをそれぞれ設けている。
【００３４】
また、リブフレーム２の角隅部が固定される略Ｌ字状のブラケット８…を、コーナーアングル４の略直角を成す内側角隅面に固定すると共に、該コーナーアングル４の長さ方向に向けて所定間隔に隔てて複数配列している。また、ブララケット８…の略直角を成す各辺部には、ボルト１３の挿通が許容される孔部８ａをそれぞれ設けている。
【００３５】
図示実施例は上記の如く構成するものにして、以下、リブフレーム構造体１を用いた建物の建設方法を説明する。
【００３６】
先ず、図１１に示すように、略同一方向に向けて前後に配置した各リブフレーム構造体１…を略直列に連結する場合、前側リブフレーム構造体１の最後列リブフレーム２と、後側リブフレーム構造体１の最前列リブフレーム２とを所望する間隔に近接又は当接して、図４、図５に示すように、前後リブフレーム構造体１，１の四隅部に取り付けられ、該各リブフレーム構造体１，１の前後リブフレーム２，２よりも外側に突出する各コーナーアングル４…の突出側対向端部を、後述する粘弾性ダンパー１０…を介して、ボルト１７…及びナット１８…で一体的に連結固定する。
【００３７】
つまり、前側リブフレーム構造体１に取り付けたコーナーアングル４の突出側後端部と、粘弾性ダンパー１０を構成する一方の連結板１０ａとを、ボルト１７及びナット１８で一体的に連結固定する。且つ、後側リブフレーム構造体１に取り付けたコーナーアングル４の突出側前端部と、粘弾性ダンパー１０を構成する他方の連結板１０ａとを、ボルト１７及びナット１８で一体的に連結固定する。
【００３８】
上述の粘弾性ダンパー１０は、例えばアクリル系やシリコン系、ウレタン系、ゴム系、ジェン系、スチレン系等の高分子材料を原料として形成された粘弾性体１０ｃを、一対の連結板１０ａ，１０ａの対向面間に一体化した状態に充填して、微小な変形及び大きな変形に至る振動を吸収する。また、粘弾性ダンパー１０の代わりに、例えばボルト及びナット、連結金具等の連結部材で連結固定するか、金属やセラミックス、プラスチック等の単一又は複合した材質で構成される連結部材で連結固定することもできる。
【００３９】
また、図１２に示すように、略同一方向に向けて左右に配置した各リブフレーム構造体１…を略並列に連結する場合、左側リブフレーム構造体１の右側辺部と、右側リブフレーム構造体１の左側辺部とを互いに近接又は当接して、左右リブフレーム構造体１，１の四隅部に取り付けた各コーナーアングル４…の対向する突出側両端部を、粘弾性ダンパー１０…を介して、ボルト１７…及びナット１８…で一体的に連結固定する。つまり、粘弾性ダンパー１０の連結板１０ａ，１０ａを、コーナーアングル４，４の突出側両端部に固定したブラケット１０ｄ，１０ｄに固定して連結する。
【００４０】
また、図１３に示すように、略正方形に近い形状に組み立てられたリブフレーム構造体１を、略横長形状に組み立てられたリブフレーム構造体１の前後又は左右等に略並列配置して連結固定することもできる。
【００４１】
また、図１４に示すように、略同一方向に向けて上下に配置した各リブフレーム構造体１…を略並列に連結する場合、上側リブフレーム構造体１の下側辺部と、下側リブフレーム構造体１の上側辺部とを互いに近接又は当接して、図６、図８に示すように、上下リブフレーム構造体１，１の四隅部に取り付けた各コーナーアングル４…の対向する突出側両端部を、防振ゴム２０…を介して、ボルト１５…及びナット１６…で一体的に連結固定する。また、防振ゴム２０は、各リブフレーム２…と対応する上下コーナーアングル４…間にも介在しているが、コーナーアングル４…間の全長に介在してもよく、防振ゴム２０を四隅のみに介在して、コーナーアングル４…間に介在しなくてもよい。
【００４２】
或いは、図７に示すように、上下に配置したリブフレーム構造体１，１を、左右に配置したリブフレーム構造体１，１よりも狭い間隔に近接又は当接して連結するか、前後及び左右、上下に配置される各リブフレーム構造体１…を略同一又は異なる間隔に近接して連結することもできる。また、上側又は下側の少なくとも一方に配置した左右のリブフレーム構造体１，１を粘弾性ダンパー１０で連結することもできる。なお、ボルト１５，１７及びナット１６，１８は、防振ゴムパッキンを介して取り付けられる。
【００４３】
また、前後及び左右に配置したリブフレーム構造体１，１を、上述の粘弾性ダンパー１０を介することなく、防振ゴム２０…を介して、ボルト１５…及びナット１６…で一体的に連結固定することもできる。
【００４４】
上述のように、複数の各リブフレーム構造体１…を、例えば前後や左右、上下等の隣り合う状態に略並列配置するか、略直交配置、スライディング配置する等して、図１１〜図１４に示す所望する単一階層構造及び多数階層構造の建物を建設する。且つ、リブフレーム構造体１の四隅部に取り付けた各コーナーアングル４…が互いに近接される位置関係に配置可能であるならば、例えば前後又は左右、上下等に配置した各リブフレーム構造体１…を略直交して連結することも可能である。
【００４５】
また、各リブフレーム構造体１…間の接続部には、例えば床用及び壁用、天井用のパネルやボード等を固定するが、所望する大きさ及び形状に開口しておくこともできる。
【００４６】
また、図９、図１０に示すように、最下階層のリブフレーム構造体１を基礎２１に固定する場合、リブフレーム構造体１の下側角隅部に取り付けた各コーナーアングル４…を、防振ゴム２０を介して、木製の土台２２に対してボルト２３…で固定し、その土台２２を、コンクリート製の基礎２１に埋設したアンカーボルト２４で固定する。
【００４７】
また、図１３に示すように、予め組み立てられた屋根構造体１Ａを、最上階層のリブフレーム構造体１に固定する場合、リブフレーム構造体１の上側角隅部に取り付けられた各コーナーアングル４…に、ボルト１Ｂ…で固定する。
【００４８】
また、図２中に仮想線で示すように、例えば窓部や扉部、大きな出入口等の開口部１Ｃをリブフレーム構造体１の側壁部に設ける場合、その開口部１Ｃの幅は、前後又は左右、上下等に配置した各リブフレーム構造体１…の間に形成される空間部の幅の略倍数とし、水平方向の補強材はリブフレーム２と同材を用いる。
【００４９】
以上のように、隣り合う状態に配置した各リブフレーム構造体１…を互いに近接又は当接して、各リブフレーム構造体１…の四隅部に取り付けた各コーナーアングル４…を一体的に連結固定するので、建設作業に要する専門の知識及び経験、熟練等の無い人でも、増改築及び現場での建設作業が簡単且つ容易に行える。また、予め組み立てられたリブフレーム構造体１を設置するか、複数のリブフレーム構造体１…を組み合わせるだけであるため、例えば敷地面積が狭い土地や住宅密集地等に建設するのに最適である。且つ、建設期間が大幅に短縮され、建設時の労力及びエネルギーが削減されるだけでなく、例えば一般住宅やマンション、仮設住宅、介護施設、倉庫等の所望する単一階層構造及び多数階層構造の建物を短期間で建設して、建設コストの低減を図ることができる。
【００５０】
また、リブフレーム構造体１を、一つのユニット又はブロックに予め工場で組み立てておくので、例えばトラックや貨車等の運搬車両に積載して建設現場に運搬することができ、集成材で構成された各リブフレーム２…を用いるため、金属製やコンクリート製の構造体よりも軽量であり、少ない労力で建設することができる。且つ、リブフレーム構造体１の解体作業が簡単且つ容易に行えるだけでなく、リブフレーム構造体１の略全体を木製の板材で構成しているため、再利用が可能である。
【００５１】
また、例えば前後又は左右、上下等に配置した各リブフレーム構造体１…間の空間部と、前後に配列した各リブフレーム２…間の空間部とは、例えば電線やケーブル、コード等を配線するか、ガス管や水道管、ダクト等を配管するためのスペースとして利用することができる。
【００５２】
この発明の構成と、上述の実施例との対応において、  
この発明の連結部材は、実施例の粘弾性ダンパー１０、ボルト１５及びナット１６、防振ゴム２０に対応するも、  
この発明は、上述の実施例の構成のみに限定されるものではない。
【００５３】
図１５は、リブフレーム構造体１の前後端よりも内側に納められる長さ又は前後端を結ぶ全長と略同一となる長さに形成した各コーナーアングル４…を、リブフレーム構造体１の四隅部に取り付けた例を示し、各リブフレーム構造体１…の前後端よりも内側に納められる状態に取り付けた各コーナーアングル４…を互いに連結固定するので、上述の実施例と略同等の作用及び効果を奏することができる。
【００５４】
図１６は、略フラットな断面形状に形成した平型のコーナーアングル４，４を、リブフレーム構造体１の上側左右角隅部に取り付けた例を示し、リブフレーム構造体１の前後端よりも外側に突出するコーナーアングル４の両端部を略Ｌ字状断面に形成しているので、上述の実施例と略同様に、前後及び左右、上下に配置される各リブフレーム構造体１…を連結するのに利用することができる。また、上述のコーナーアングル４を、リブフレーム構造体１の下側左右角隅部に取り付けるか、リブフレーム構造体１の四隅部に取り付けてもよい。
【００５５】
図１７、図１８は、鉄筋で構成される２本のブレース３０，３０を、リブフレーム構造体１の左側上下角隅部及び右側上下角隅部に取り付けた各コーナーアングル４…に対してクロスに架設した例を示し、ブレース３０，３０の上端を、上側角隅部に取り付けたコーナーアングル４の両端部にそれぞれ連結し、ブレース３０，３０の下端を、下側角隅部に取り付けたコーナーアングル４の両端部にそれぞれ連結して、ブレース３０，３０を側面から見てクロスした状態に架設するとともに、ブレース３０の張り具合を、その中間部に取り付けたターンバックル３１により調節することで、耐震構造として必要な強度、剛性を持たせている。また、ブレース３０，３０を、側面から見てハ字状に架設してもよく、上記クロスのみに限定されるものではない。また、ブレース３０を、例えば集成材、合板等の板材或いは鋼材で構成してもよい。
【００５６】
また、図１９に示すように、リブフレーム構造体１の左右内面が覆われる大きさに形成した内壁ボード５を、各リブフレーム２…の左右内面及び上下内面に対して固定部材により直接固定するとともに、リブフレーム構造体１の左右外面が覆われる大きさに形成した外壁ボード６を、ブレース３０，３０による補強を妨げないようにして、各リブフレーム２…の左右外面に沿って上下方向に所定間隔に隔てて架設した各支持部材７…に対して固定部材により固定してもよい。加えて、内壁ボード５を、各リブフレーム２…の左右内面に対して上記各支持部材７…を介して固定することもできる。
【００５７】
また、図２０に示すように、２本のブレース３０，３０を、リブフレーム構造体１の上側左右角隅部及び下側左右角隅部に取り付けた各コーナーアングル４…に対してクロスに架設してもよい。或いは、内壁ボード５をリブフレーム構造体１の上下内面に固定するか、外壁ボード６をリブフレーム構造体１の上下外面に固定してもよい。なお、耐震構造として必要な強度、剛性が得られるならば、リブフレーム構造体１を構成する上下及び左右の２面又は３面、４面に対して、内壁ボード５、外壁ボード６、ブレース３０，３０のいずれか一つ又は複数を組み合わせる等して取り付けてもよい。
【００５８】
上述の粘弾性ダンパー１０を用いることなく、例えば各リブフレーム構造体１…に取り付けた各コーナーアングル４…を直接的に連結固定することもできる。
【産業上の利用可能性】
【００５９】
上述のリブフレーム構造体を縦向きに配置するか、斜め上向きに配置する等してもよく、様々な形態の建物を建設するのにも利用することができる。
【図面の簡単な説明】
【００６０】
【図１】リブフレーム構造体の組み立て状態を示す斜視図。
【図２】リブフレーム構造体の組み立て状態を示す側面図。
【図３】リブフレーム構造体の組み立て状態を示す正面図。
【図４】リブフレーム構造体の連結状態を示す側面図。
【図５】リブフレーム構造体の連結状態を示す平面図。
【図６】リブフレーム構造体の連結状態を示す正面図。
【図７】リブフレーム構造体の他の連結状態を示す正面図。
【図８】上下及び左右のリブフレーム構造体の連結状態を示す正面図。
【図９】リブフレーム構造体の基礎固定状態を示す側面図。
【図１０】リブフレーム構造体の基礎固定状態を示す正面図。
【図１１】前後リブフレーム構造体の連結状態を示す斜視図。
【図１２】左右リブフレーム構造体の連結状態を示す斜視図。
【図１３】前後及び左右リブフレーム構造体の連結状態を示す斜視図。
【図１４】上下リブフレーム構造体の連結状態を示す斜視図。
【図１５】構造体と略同一長さのコーナーアングルの連結状態を示す斜視図。
【図１６】構造体に設けた平型コーナーアングルの連結状態を示す斜視図。
【図１７】リブフレーム構造体の左右ブレーシング状態を示す斜視図。
【図１８】ブレースの取り付け状態を示す側面図。
【図１９】内壁及び外壁ボードの取り付け状態を示す正面図。
【図２０】リブフレーム構造体の上下ブレーシング状態を示す斜視図。
【符号の説明】
【００６１】
１…リブフレーム構造体
１Ａ…屋根構造体
２…リブフレーム
３…連結フレーム
４…コーナーアングル
１０…粘弾性ダンパー
２０…防振ゴム
２１…基礎
【図１】
2006118338.tif 000003
【図２】
2006118338.tif 000004
【図３】
2006118338.tif 000005
【図４】
2006118338.tif 000006
【図５】
2006118338.tif 000007
【図６】
2006118338.tif 000008
【図７】
2006118338.tif 000009
【図８】
2006118338.tif 000010
【図９】
2006118338.tif 000011
【図１０】
2006118338.tif 000012
【図１１】
2006118338.tif 000013
【図１２】
2006118338.tif 000014
【図１３】
2006118338.tif 000015
【図１４】
2006118338.tif 000016
【図１５】
2006118338.tif 000017
【図１６】
2006118338.tif 000018
【図１７】
2006118338.tif 000019
【図１８】
2006118338.tif 000020
【図１９】
2006118338.tif 000021
【図２０】
2006118338.tif 000022